【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】
記録媒体に印刷を行う印刷手段と、
緩衝部材が配置され該緩衝部材上に前記印刷手段によって印刷される記録媒体を載置して支持するとともに、前記記録媒体の着脱が可能な第１の位置と、前記印刷手段により前
記記録媒体に印刷が行われる第２の位置とに移動可能に設けられた支持手段と、
前記支持手段の前記第１の位置への移動に連動して前記支持手段に支持された記録媒体を前記緩衝部材に対して相対的に移動させて前記記録媒体と前記緩衝部材とを離間させる一方、前記支持手段の前記第２の位置への移動に連動して前記支持手段に支持された記録媒体を前記緩衝部材に対して相対的に移動させて前記記録媒体と前記緩衝部材とを接触させる移動手段と、
を備えたことを特徴とする印刷装置。
【請求項２】
記録媒体に印刷を行う印刷手段と、
緩衝部材が配置され該緩衝部材上に前記印刷手段によって印刷される記録媒体を載置して支持するとともに、前記記録媒体の着脱が可能な第１の位置と、前記印刷手段により前記記録媒体に印刷が行われる第２の位置とに移動可能に設けられた支持手段と、
前記支持手段に支持された記録媒体を前記緩衝部材に対して相対的に移動させて前記記録媒体と前記緩衝部材とを接離させる移動手段と、
前記支持手段が前記第１の位置にあるときに、前記移動手段を手動により作動させるための操作手段と、
を備えたことを特徴とする印刷装置。
【請求項３】
前記移動手段は、前記記録媒体の中心部を支持する記録媒体支持部材と、該記録媒体支持部材を移動して前記記録媒体を前記緩衝部材に接触および離間させる記録媒体変位手段とを備えることを特徴とする請求項１又は２記載の印刷装置。
【請求項４】
前記移動手段は、前記記録媒体の中心部を支持する記録媒体支持部材と、該記録媒体支持部材に支持された前記記録媒体に対して前記支持手段を移動して前記緩衝部材を前記記録媒体に接触および離間させる支持手段変位手段とを備えることを特徴とする請求項１又は２記載の印刷装置。
【請求項５】
前記記録媒体支持部材は前記緩衝部材より摩擦抵抗の小さい材料で構成され、前記記録媒体としての光ディスクの中心部に形成された円孔の周囲を支持することを特徴とする請求項３又は４記載の印刷装置。
【手続補正２】
【補正対象書類名】明細書
【補正対象項目名】００１２
【補正方法】変更
【補正の内容】
【００１２】
【課題を解決するための手段】
本発明の請求項１に係る印刷装置は、記録媒体に印刷を行う印刷手段と、緩衝部材が配置され該緩衝部材上に前記印刷手段によって印刷される記録媒体を載置して支持するとともに、前記記録媒体の着脱が可能な第１の位置と、前記印刷手段により前記記録媒体に印刷が行われる第２の位置とに移動可能に設けられた支持手段と、前記支持手段の前記第１の位置への移動に連動して前記支持手段に支持された記録媒体を前記緩衝部材に対して相対的に移動させて前記記録媒体と前記緩衝部材とを離間させる一方、前記支持手段の前記第２の位置への移動に連動して前記支持手段に支持された記録媒体を前記緩衝部材に対して相対的に移動させて前記記録媒体と前記緩衝部材とを接触させる移動手段と、を備えたことを特徴としている。
【手続補正３】
【補正対象書類名】明細書
【補正対象項目名】００１３
【補正方法】変更
【補正の内容】
【００１３】
この印刷装置によれば、支持手段に載置した記録媒体を手作業で回転する際に、移動手段によりその記録媒体を緩衝部材に対して相対的に移動させてその緩衝部材から離すことにより、記録媒体が緩衝部材と摩擦するようなことがなく、したがって記録媒体を円滑に回転してその位置合せの調整を容易に能率よく行なえ、また記録媒体と緩衝部材との間に摩擦が生じることがないから、記録媒体に損傷を与えるような恐れもない。そして、この印刷装置においては、前記支持手段が第１の位置に配置しているときに、その支持手段に記録媒体を載置する。このとき、前記移動手段により前記記録媒体と前記緩衝部材とが離間する状態に保たれ、したがって記録媒体を円滑に回転してその位置合せの調整を容易に能率よく行なえる。そして前記支持手段が第２の位置に移動すると、前記記録媒体と前記緩衝部材とが接触して記録媒体が安定して支持される。
【手続補正４】
【補正対象書類名】明細書
【補正対象項目名】００１４
【補正方法】変更
【補正の内容】
【００１４】
本発明の請求項２に係る印刷装置は、記録媒体に印刷を行う印刷手段と、緩衝部材が配置され該緩衝部材上に前記印刷手段によって印刷される記録媒体を載置して支持するとともに、前記記録媒体の着脱が可能な第１の位置と、前記印刷手段により前記記録媒体に印刷が行われる第２の位置とに移動可能に設けられた支持手段と、前記支持手段に支持された記録媒体を前記緩衝部材に対して相対的に移動させて前記記録媒体と前記緩衝部材とを接離させる移動手段と、前記支持手段が前記第１の位置にあるときに、前記移動手段を手動により作動させるための操作手段と、を備えたことを特徴としている。
【手続補正５】
【補正対象書類名】明細書
【補正対象項目名】００１５
【補正方法】変更
【補正の内容】
【００１５】
この印刷装置においては、その操作手段を操作して任意に前記記録媒体と前記緩衝部材とを接離させることができる。
【手続補正６】
【補正対象書類名】明細書
【補正対象項目名】００１８
【補正方法】変更
【補正の内容】
【００１８】
本発明の請求項５に係る印刷装置においては、前記記録媒体支持部材が、前記緩衝部材より摩擦抵抗の小さい材料で構成され、前記記録媒体としての光ディスクの中心部に形成された円孔の周囲を支持することを特徴としている。したがって、記録媒体支持部材上で記録媒体を円滑に回転してその位置合せの調整を容易に能率よく行なうことができる。 
【手続補正７】
【補正対象書類名】明細書
【補正対象項目名】００８０
【補正方法】変更
【補正の内容】
【００８０】
【発明の効果】
以上説明したように本発明の請求項１に係る印刷装置によれば、支持手段に載置した記録媒体を手作業で回転する際に、移動手段によりその記録媒体を緩衝部材に対して相対的に移動させてその緩衝部材から離間させることができ、これにより記録媒体が緩衝部材と摩擦するようなことがなく、したがって記録媒体を円滑に回転してその位置合せの調整を容易に能率よく行なえ、また記録媒体と緩衝部材との間に摩擦が生じることがないから、記録媒体に損傷を与えるような恐れもない。また、支持手段が第１の位置に配置しているときに、その支持手段に記録媒体を載置すると、移動手段により記録媒体と緩衝部材とが離間する状態に保たれ、したがって記録媒体を円滑に回転してその位置合せの調整を容易に能率よく行なえる。そして前記支持手段が第２の位置に移動すると、記録媒体と緩衝部材とが接触して記録媒体が安定して支持される。
【手続補正８】
【補正対象書類名】明細書
【補正対象項目名】００８１
【補正方法】変更
【補正の内容】
【００８１】
本発明の請求項２に係る印刷装置によれば、移動手段を手動により作動させる操作手段を備えているから、その操作手段を操作して任意に前記記録媒体と前記緩衝部材とを接離させることができる。
【手続補正９】
【補正対象書類名】明細書
【補正対象項目名】００８５
【補正方法】削除
【補正の内容】